(57)【要約】タッチパネルスタックアップは、実質的に透明な第１の領域と実質的に不透明な第２の領域を有する基板と、接触信号を検出する検出電極と、前記検出電極と電気的に接続された導電回路と、前記基板の前記第２の領域上に構成されたマスキング要素と、を備え、前記検出電極、前記導電回路及び前記マスキング要素は、前記基板上に一体的に形成されている。【選択図】図６
2013546076.tif 000002
【特許請求の範囲】
【請求項１】
実質的に透明な領域と前記実質的に透明な領域に隣接する隣接領域とを有する単一で一体的な基板と、
前記基板の前記隣接領域上に構成されたマスキング要素と、
接触信号を検出する電極と、
信号処理器に前記接触信号を伝送する導電回路と、を備え、
前記電極と前記マスキング要素とは、一体的に形成され、
前記一体的に形成された電極とマスキング要素とは、前記基板の一方の面上に形成されているタッチパネルスタックアップ。
【請求項２】
前記電極は、前記導電回路と電気的に接続されている請求項１のタッチパネルスタックアップ。
【請求項３】
前記マスキング要素は、スルーホールを有し、
前記導電回路は、前記スルーホールを介して前記電極に電気的に接続されている請求項１のタッチパネルスタックアップ。
【請求項４】
前記導電回路は、前記マスキング要素上に構成されている請求項１のタッチパネルスタックアップ。
【請求項５】
前記マスキング要素の一部は、前記電極上に構成されている請求項１のタッチパネルスタックアップ。
【請求項６】
前記導電回路は、前記電極と共に前記基板の一方の面上に構成されている請求項１のタッチパネルスタックアップ。
【請求項７】
前記マスキング要素の一部は、前記導電回路上に構成されている請求項１のタッチパネルスタックアップ。
【請求項８】
前記導電回路は、前記マスキング要素上に構成され、
前記マスキング要素の一部は、前記電極上に構成されている請求項１のタッチパネルスタックアップ。
【請求項９】
前記マスキング要素は、異方性導電材料で作られている請求項１のタッチパネルスタックアップ。
【請求項１０】
前記導電回路は、前記電極と共に前記基板の一方の面上に構成され、
前記導電回路は、前記基板と前記マスキング要素との間に構成されている請求項１のタッチパネルスタックアップ。
【請求項１１】
前記電極の一部は、前記マスキング要素上に構成され、
前記導電回路の一部は、前記電極上に構成されて前記電極と電気的に接続されている請求項１のタッチパネルスタックアップ。
【請求項１２】
前記導電回路は、前記マスキング要素上に構成され、
前記電極の一部は、前記導電回路上に構成されて前記導電回路と電気的に接続されている請求項１のタッチパネルスタックアップ。
【請求項１３】
誘電要素をさらに備える請求項１のタッチパネルスタックアップ。
【請求項１４】
前記導電回路と前記マスキング要素との間で前記マスキング要素上に構成された誘電要素をさらに備える請求項１のタッチパネルスタックアップ。
【請求項１５】
誘電要素をさらに備え、
前記誘電要素及び前記マスキング要素は、前記電極と共に前記基板の一方の面上に構成されている請求項１のタッチパネルスタックアップ。
【請求項１６】
前記マスク要素と前記導電回路との間に構成された誘電要素をさらに備える請求項１のタッチパネルスタックアップ。
【請求項１７】
誘電要素をさらに備え、
前記電極は、前記導電回路と電気的に接続されている請求項１のタッチパネルスタックアップ。
【請求項１８】
誘電要素をさらに備え、
前記導電回路は、前記誘電要素上に構成されている請求項１のタッチパネルスタックアップ。
【請求項１９】
誘電要素をさらに備え、
前記電極の一部は、前記誘電要素上に構成されている請求項１のタッチパネルスタックアップ。
【請求項２０】
誘電要素をさらに備え、
前記電極の一部は、前記誘電要素上に構成され、
前記導電回路の一部は、前記電極上に構成されている請求項１のタッチパネルスタックアップ。
【請求項２１】
前記導電回路は、前記誘電要素上に構成され、
前記電極の一部は、前記導電回路上に構成されている請求項１３のタッチパネルスタックアップ。
【請求項２２】
シリコン、シリコン酸化物（SiOx）、シリコン窒化物（SiｘNy）、及び非導電ポリマーにより構成されたグループから選択された誘電要素をさらに備える請求項１のタッチパネルスタックアップ。
【請求項２３】
前記導電回路は、前記電極と共に前記基板の一方の面上に構成され、
前記マスキング要素は、前記導電回路上に構成され、
前記導電回路の一部は前記電極上に構成されている請求項１のタッチパネルスタックアップ。
【請求項２４】
前記導電回路は、前記電極及び前記マスキング要素と共に前記基板の一方の面上に構成され、
前記電極の一部は、前記導電回路上に構成されている請求項１のタッチパネルスタックアップ。
【請求項２５】
前記導電回路は、前記電極と電気的に接続され、
前記導電回路の一部は、前記電極上に構成され、
前記導電回路の他の部分は、前記マスキング要素上に構成されている請求項１のタッチパネルスタックアップ。
【請求項２６】
誘電要素をさらに備え、
前記誘電要素及び前記マスキング要素は、前記電極と共に前記基板の一方の面上に構成され、
前記導電回路の一部は、前記電極上に構成され、
前記導電回路の他の部分は、前記誘電要素上に構成されている請求項１のタッチパネルスタックアップ。
【請求項２７】
前記導電回路及び前記電極を前記マスキング要素から絶縁する誘電要素をさらに備える請求項１のタッチパネルスタックアップ。
【請求項２８】
前記マスキング要素と前記導電回路との間、及び前記マスキング要素と前記電極との間に構成された誘電要素をさらに備える請求項１のタッチパネルスタックアップ。
【請求項２９】
前記電極は、鉛直検出電極である請求項１のタッチパネルスタックアップ。
【請求項３０】
前記電極は、水平検出電極及び鉛直検出電極である請求項１のタッチパネルスタックアップ。
【請求項３１】
前記基板は、有機導電材料及び無機導電材料により構成されたグループから選択されている請求項１のタッチパネルスタックアップ。
【請求項３２】
前記電極は、前記基板上に構成され、
前記電極の材料は、アンチスクラッチ材料、アンチグレア材料、及びアンチリフレクティブ材料より構成されたグループから選択されている請求項１のタッチパネルスタックアップ。
【請求項３３】
前記電極の材料は、インジウムスズ酸化物、アルミニウム亜鉛酸化物、亜鉛スズ酸化物、導電ガラス、導電ポリマー、及びカーボンナノチューブより構成されるグループから選択されている請求項１のタッチパネルスタックアップ。
【請求項３４】
前記導電回路の材料は、アルミニウム、銀、及び銅より構成されるグループから選択されている請求項１のタッチパネルスタックアップ。
【請求項３５】
前記電極と前記導電回路とは同じ材料で作られている請求項１のタッチパネルスタックアップ。
【請求項３６】
前記マスキング要素は、実質的に不透明のフォトレジスタ、樹脂又はインクで作られている請求項１のタッチパネルスタックアップ。
【請求項３７】
前記隣接領域は、前記基板の周縁に構成されている請求項１のタッチパネルスタックアップ。
【請求項３８】
前記マスキング要素は、前記基板に貼付、印刷、着色、スパッタ、又はコートされることができる請求項１のタッチパネルスタックアップ。
【請求項３９】
前記電極は、検出電極パターンと電気配線とをさらに備える請求項１のタッチパネルスタックアップ。
【請求項４０】
前記電極は、検出電極パターンと電気配線と絶縁体とをさらに備える請求項１のタッチパネルスタックアップ。
【請求項４１】
前記電極は、
第１の検出電極パターンと、
第２の検出電極パターンと、
第１の電気配線と、
第２の電気配線と、
絶縁体と、を備える請求項１のタッチパネルスタックアップ。
【請求項４２】
前記絶縁体は、前記第１の電気配線を前記第２の電気配線から電気的に絶縁する請求項４１のタッチパネルスタックアップ。
【請求項４３】
前記絶縁体は前記第１の電気配線上に構成され、
前記第２の電気配線は、前記絶縁体上に構成され、前記第２の電気配線は、前記第１の検出電極パターン及び前記第２の検出電極パターンに電気的に接続されている請求項４１のタッチパネルスタックアップ。
【請求項４４】
前記絶縁体はスルーホールをさらに備え、
前記第２の電気配線は、前記スルーホールを介して前記第１の検出電極パターン及び前記第２の検出電極パターンに電気的に接続されている請求項４１のタッチパネルスタックアップ。
【請求項４５】
前記第１の導電回路は、基板上に構成され、
前記絶縁体は、前記第１の電気配線上に構成され、
前記第２の電気配線は前記絶縁体上に構成されている請求項４１のタッチパネルスタックアップ。
【請求項４６】
前記電極は、検出電極パターンと第１の電気配線とをさらに備え、
前記検出電極パターンと前記電気配線とは、同じ材料で作られている請求項１のタッチパネルスタックアップ。
【請求項４７】
前記タッチパネルスタックアップは静電容量方式であって、
前記電極は、静電容量の変化に基づいて鉛直方向及び水平方向における接触信号を検出する検出電極パターンを備える請求項１のタッチパネルスタックアップ。
【請求項４８】
前記タッチパネルスタックアップは静電容量方式であって、
前記電極は、複数の検出電極パターンと複数の対応するジオコードを備える請求項１のタッチパネルスタックアップ。
【請求項４９】
前記マスキングは、直径が３０μｍより小さい大きさのスルーホールを備える請求項１のタッチパネルスタックアップ。
【請求項５０】
前記電極及び前記導電回路に電気的に接続された導電接着剤をさらに備える請求項１のタッチパネルスタックアップ。
【請求項５１】
視認可能領域及び前記視認可能領域に隣接する隣接領域を備える、単一の一体化された基板と、
前記隣接領域上に構成されたマスキング要素と、
接触信号を検出するための電極と、
前記接触信号を信号処理器に伝送するための導電回路と、を備え、
前記電極及び前記導電回路は、前記基板の一方の面上に構成されているタッチパネルスタックアップ。
【請求項５２】
誘電要素をさらに備える請求項５１のタッチパネルスタックアップ。
【請求項５３】
前記導電回路上に構成された誘電要素をさらに備える請求項５１のタッチパネルスタックアップ。
【請求項５４】
前記マスキング要素と前記導電回路との間に構成された誘電要素をさらに備える請求項５１のタッチパネルスタックアップ。
【請求項５５】
誘電要素をさらに備え、
前記電極は、前記導電回路と電気的に接続されている請求項５１のタッチパネルスタックアップ。
【請求項５６】
誘電要素をさらに備え、
前記誘電要素の一部は、前記電極上に構成されている請求項５１のタッチパネルスタックアップ。
【請求項５７】
誘電要素をさらに備え、
前記導電回路の一部は、前記電極上に構成されている請求項５１のタッチパネルスタックアップ。
【請求項５８】
誘電要素をさらに備え、
前記電極の一部は、前記導電回路上に構成されている請求項５１のタッチパネルスタックアップ。
【請求項５９】
シリコン、シリコン酸化物（SiOx）、シリコン窒化物（SiｘNy）、及び非導電ポリマーにより構成されたグループから選択された誘電要素をさらに備える請求項５１のタッチパネルスタックアップ。
【請求項６０】
前記導電回路上に構成された誘電要素をさらに備え、
前記誘電要素の一部は、前記電極上に構成されている請求項５１のタッチパネルスタックアップ。
【請求項６１】
前記隣接領域上に構成された誘電要素をさらに備える請求項５１のタッチパネルスタックアップ。
【請求項６２】
誘電要素をさらに備え、
前記マスキング要素は、前記誘電要素上に構成されている請求項５１のタッチパネルスタックアップ。
【請求項６３】
前記導電回路上に構成された誘電要素をさらに備え、
前記導電回路は、前記電極上に構成上に構成されている請求項５１のタッチパネルスタックアップ。
【請求項６４】
前記電極を前記マスキング要素から絶縁する誘電要素をさらに備える請求項５１のタッチパネルスタックアップ。
【請求項６５】
前記導電回路及び前記電極を前記マスキング要素から絶縁する誘電要素をさらに備える請求項５１のタッチパネルスタックアップ。
【請求項６６】
前記マスキング要素と前記電極との間に構成された誘電要素をさらに備える請求項５１のタッチパネルスタックアップ。
【請求項６７】
前記マスキング要素と前記導電回路との間、及び前記マスキング要素と前記電極との間に構成された誘電要素をさらに備える請求項５１のタッチパネルスタックアップ。
【請求項６８】
前記導電回路上に構成された誘電要素をさらに備え、
前記マスキング要素は、前記誘電要素上に構成されている請求項５１のタッチパネルスタックアップ。
【請求項６９】
前記導電回路上に構成された誘電要素をさらに備え、
前記誘電要素の一部は、前記電極上に構成され、
前記マスキング要素は、前記誘電要素上に構成されている請求項５１のタッチパネルスタックアップ。
【請求項７０】
前記電極は、前記導電回路と電気的に接続されている請求項５１のタッチパネルスタックアップ。
【請求項７１】
前記マスキング要素はスルーホールを備え、
前記導電回路は、前記スルーホールを介して前記電極と電気的に接続されている請求項５１のタッチパネルスタックアップ。
【請求項７２】
前記マスキング要素は異方性導電材料で作られている請求項５１のタッチパネルスタックアップ。
【請求項７３】
前記導電回路は、前記基板と前記マスキング要素との間に構成されている請求項５１のタッチパネルスタックアップ。
【請求項７４】
前記導電回路の一部は、前記電極上に構成され、
前記マスキング要素は、前記導電回路上に構成されている請求項５１のタッチパネルスタックアップ。
【請求項７５】
前記電極の一部は、前記導電回路上に構成され、
前記マスキング要素は、前記導電回路上に構成されている請求項５１のタッチパネルスタックアップ。
【請求項７６】
前記電極及び前記導電回路に電気的に接続された導電接着剤をさらに備える請求項５１のタッチパネルスタックアップ。
【請求項７７】
前記電極と前記導電回路とは、実質的に同じ材料で作られている請求項５１のタッチパネルスタックアップ。
【請求項７８】
前記電極は、検出電極パターンと電気配線と絶縁体とを備える請求項５１のタッチパネルスタックアップ。
【請求項７９】
前記電極は、
第１の検出電極パターンと、
第２の検出電極パターンと、
第１の電気配線と、
第２の電気配線と、
絶縁体と、を備える請求項５１のタッチパネルスタックアップ。
【請求項８０】
視認可能領域と前記視認可能領域に隣接する隣接領域とを含む単一の一体的な基板と、
前記隣接領域上に構成されたマスキング要素と、
接触信号を検出するための電極と、
前記接触信号を信号処理器に伝送するための導電回路と、を備え、
前記電極及び前記導電回路は、前記基板の一方の面上に構成され、
前記マスキング要素は、前記基板の他方の面上に構成されているタッチパネルスタックアップ。
【請求項８１】
前記マスキング要素上に構成された保護要素をさらに備える請求項８０のタッチパネルスタックアップ。
【請求項８２】
保護要素をさらに備え、
前記保護要素は、前記マスキング要素と共に前記基板の一方の面上に構成されている請求項８０のタッチパネルスタックアップ。
【請求項８３】
前記電極及び前記導電回路に電気的に接続された導電接着剤をさらに備える請求項８０のタッチパネルスタックアップ。
【請求項８４】
前記導電回路の一部は、前記電極上に構成されている請求項８０のタッチパネルスタックアップ。
【請求項８５】
前記電極の一部は、前記導電回路上に構成されている請求項８０のタッチパネルスタックアップ。
【請求項８６】
アンチスクラッチ材料、アンチグレア材料、及びアンチリフレクティブ材料より構成されたグループから選択された保護要素をさらに備える請求項８０のタッチパネルスタックアップ。
【請求項８７】
実質的に前記基板と同じ材料で作られた保護要素をさらに備える請求項８０のタッチパネルスタックアップ。
【請求項８８】
前記マスキング要素は、前記基板上に構成され、
前記基板及び前記電極は、前記導電回路上に構成されている請求項８０のタッチパネルスタックアップ。
【請求項８９】
前記マスキング要素は、前記基板上に構成され、
前記基板及び前記導電回路は、前記電極上に構成されている請求項８０のタッチパネルスタックアップ。
【請求項９０】
視認可能領域と前記視認可能領域に隣接する隣接領域とを含む単一の一体的な基板と、
前記隣接領域上に構成されたマスキング要素と、
第１の方向の接触信号を検出するための第１の電極と、
第２の方向の接触信号を検出するための第２の電極と、
前記第１の電極と電気的に接続された導電回路と、を備え、
前記第１の電極及び前記導電回路は、前記基板の一方の面上に構成され、
前記第２の電極は前記基板の他方の面上に構成されているタッチパネルスタックアップ。
【請求項９１】
前記マスキング要素は、前記第２の電極と共に前記基板の一方の面上に構成されている請求項９０のタッチパネルスタックアップ。
【請求項９２】
前記第２の電極上に構成された保護要素をさらに備える請求項９０のタッチパネルスタックアップ。
【請求項９３】
前記第１の電極及び前記導電回路に電気的に接続された導電接着剤をさらに備える請求項９０のタッチパネルスタックアップ。
【請求項９４】
前記第２の電極上に構成された誘電要素をさらに備える請求項９０のタッチパネルスタックアップ。
【請求項９５】
前記第２の電極と前記マスキング要素との間に構成された誘電要素をさらに備える請求項９０のタッチパネルスタックアップ。
【請求項９６】
前記第２の電極上に構成された誘電要素と、
前記誘電要素上に構成された保護要素と、
をさらに備える請求項９０のタッチパネルスタックアップ。
【請求項９７】
誘電要素をさらに備え、
前記誘電要素は、前記第２の電極と共に前記基板の一方の面上に構成されている請求項９０のタッチパネルスタックアップ。
【請求項９８】
前記基板上の前記第２の電極上に構成された誘電要素をさらに備え、
前記基板は、前記第１の電極上に構成され、
前記第１の電極は、前記導電回路上に構成されている請求項９０のタッチパネルスタックアップ。
【請求項９９】
前記基板上の前記第２の電極上に構成された誘電要素をさらに備え、
前記基板は前記導電回路上に構成され、
前記導電回路は、前記第１の電極上に構成されている請求項９０のタッチパネルスタックアップ。
【請求項１００】
視認可能領域と前記視認可能領域に隣接する隣接領域とを含む単一の一体的な基板と、
接触信号を検出するための第１の検出電極と、
前記第１の検出電極と電気的に接続される導電回路と、
前記隣接領域上に構成されるマスキング要素と、を備え、
前記第１の検出電極、前記導電回路及び前記マスキング要素は、前記基板上に構成されているタッチパネルスタックアップ。
【請求項１０１】
前記第１の検出電極は、前記マスキング要素と前記導電回路との間に構成されている請求項１００のタッチパネルスタックアップ。
【請求項１０２】
前記導電回路は、前記マスキング要素と前記第１の検出電極との間に構成されている請求項１００のタッチパネルスタックアップ。
【請求項１０３】
前記マスキング要素の少なくとも一部は、前記第１の検出電極と前記導電回路との間に構成されている請求項１００のタッチパネルスタックアップ。
【請求項１０４】
前記第１の検出電極は、前記マスキング要素の開放孔を介して前記導電回路と電気的に接続されている請求項１０３のタッチパネルスタックアップ。
【請求項１０５】
前記マスキング要素は、異方性導電材料で作られており、
前記第１の検出電極は、前記マスキング要素を介して前記導電回路と電気的に接続されている請求項１０３のタッチパネルスタックアップ。
【請求項１０６】
前記基板は、前記マスキング要素と前記導電回路との間に構成されている請求項１００のタッチパネルスタックアップ。
【請求項１０７】
前記第１の検出電極は、前記基板と前記導電回路との間に構成されている請求項１０６のタッチパネルスタックアップ。
【請求項１０８】
実質的に前記マスキング要素を覆う第１の保護要素をさらに備える請求項１０６のタッチパネルスタックアップ。
【請求項１０９】
第２の検出電極をさらに備え、
前記基板は、前記第１の検出電極と前記第２の検出電極との間に構成されている請求項１００のタッチパネルスタックアップ。
【請求項１１０】
実質的に前記第２の検出電極を覆う第２の保護要素をさらに備える請求項１０９のタッチパネルスタックアップ。
【請求項１１１】
前記導電回路及び前記第１の検出電極は、同じ材料で作られている請求項１００のタッチパネルスタックアップ。
【請求項１１２】
前記第１の検出電極と前記マスキング要素との間に構成された誘電要素をさらに備える請求項１００のタッチパネルスタックアップ。
【請求項１１３】
前記導電回路と前記マスキング要素との間に構成された誘電要素をさらに備える請求項１００のタッチパネルスタックアップ。
【請求項１１４】
前記第１の検出電極は、第１の方向の接触信号を検出するために用いられ、第１の面上の複数の第１の電極パターンを備え、
前記タッチパネルスタックアップは、
第２の方向の接触信号を検出するための第１の面上の複数の第２の電極パターンを備える第２の検出電極と、
前記複数の第１の電極パターンと電気的に接続される第１の電気配線と、
前記第１の電気配線を部分的に覆う絶縁体と、
前記絶縁体上に構成され、前記複数の第２の電極パターンと電気的に接続される第２の電気配線と、
を備える請求項１００のタッチパネルスタックアップ。
【請求項１１５】
前記第２の電気配線及び前記第２の検出電極は、同じ材料で作られている請求項１１４のタッチパネルスタックアップ。
【請求項１１６】
前記マスキング要素の少なくとも一部は、前記第２の電極パターンを覆い、
前記第２の電気配線は、前記マスキング要素の一以上の開放孔を介して前記複数の第２の電極パターンと電気的に接続されている請求項１１４のタッチパネルスタックアップ。
【請求項１１７】
前記第１の検出電極は、第１の方向の接触信号及び第２の方向の接触信号を検出するための一以上のジオコードされた電極パターンを備える請求項１００のタッチパネルスタックアップ。
【請求項１１８】
前記ジオコードされた電極パターンは、円形、楕円、三角形、矩形、台形及び多角形より構成されるグループから選択されている請求項１１７のタッチパネルスタックアップ。
【請求項１１９】
前記ジオコードされた電極パターンは、大きさが異なる請求項１１７のタッチパネルスタックアップ。
【請求項１２０】
前記ジオコードされた電極パターンは、異なる導電性を有する請求項１１７のタッチパネルスタックアップ。
【請求項１２１】
前記視認可能領域は、前記タッチ操作機能を実行するために用いられる請求項１００のタッチパネルスタックアップ。
【請求項１２２】
前記第２の保護要素と前記第２の検出電極とは、実質的に等しい屈折率を有する請求項１１０のタッチパネルスタックアップ。
【請求項１２３】
前記第２の検出電極と前記マスキング要素との間に構成された誘電要素をさらに備える請求項１０９のタッチパネルスタックアップ。
【請求項１２４】
前記誘電要素と前記第２の検出電極とは、実質的に等しい屈折率を有する請求項１２３のタッチパネルスタックアップ。
【請求項１２５】
前記誘電要素と前記第１の検出電極とは、実質的に等しい屈折率を有する請求項１１２のタッチパネルスタックアップ。
【請求項１２６】
前記誘電要素と前記第１の検出電極とは、実質的に等しい屈折率を有する請求項１１３のタッチパネルスタックアップ。
【発明の詳細な説明】
【技術分野】
【０００１】
本発明は、タッチパネルスタックアップに関する。さらに言えば、本発明は、単一の基板上に一体的に形成されるタッチパネルスタックアップに関する。
【背景技術】
【０００２】
タッチパネルは一般的に入力装置である。ユーザが表示装置の表面下の文章や図面に対応するタッチパネルの所定の位置に接触すると、タッチパネルは接触信号を検出し、信号処理のためにコントローラに当該接触信号を伝送する。コントローラは、接触信号を処理し、接触位置に対応する信号を出力する。例えば抵抗膜方式、静電容量方式、赤外線方式、超音波表面弾性波方式等の幾つかの方式のタッチパネルがあり、例えば静電容量タッチパネルは、タッチパネルの静電容量の違いを検出する。ユーザがタッチパネルに接触したとき、対応位置の静電容量が変化する。タッチパネルとコントローラは、静電容量の違いを検出して算出し、対応信号を出力する。
【０００３】
従来のタッチパネルは、検出電極、導電回路、マスキング要素、支持基板、及びアンチスクラッチ、アンチグレア、及び／又はアンチリフレクティブ機能をもたらす保護レンズの一以上の層を含む。従来のタッチパネルの二次加工において、構成要素は支持基板と保護レンズ基板とに別々に形成される。その後、支持基板と保護レンズ基板とは、タッチパネルを形成するために積層される。例えば、検出電極は支持基板に形成され、マスキング素子及び導電回路は保護レンズ基板に形成される。支持基板と保護レンズ基板とを積層した後、導電回路は接触入力を伝送するために検出電極に電気的に接続される。マスキング素子は、ユーザがディスプレイの情報を見るとき導電回路の視認障害を取り除くために当該導電回路を覆うことができる。従来の近接させる二つの基板はタッチパネルの厚さを増加させる。特に、正確な位置決めは、検出電極と導電回路とを適切に接続するための積層工程を必要とする。そのため、製造の複雑さを増加させる。
【発明の概要】
【課題を解決するための手段】
【０００４】
タッチパネルスタックアップの実施形態が開示されており、タッチパネルスタックアップは、実質的に透明な第１の領域と実質的に不透明な隣接領域とを有する単一の一体化された基板と、接触信号を検出する検出電極と、前記検出電極と電気的に接続された導電回路と、前記基板の前記隣接領域に構成されたマスキング要素と、前記検出電極、前記導電回路及び前記マスキング要素は、前記基板に一体的に形成されている。
【図面の簡単な説明】
【０００５】
本開示の上述及び他の特徴は、添付の図面と共に詳細な形態の記載によってより明らかにされる。
【図１】図１は本発明の第１の実施の形態に係るタッチパネルの上面図である。
【図２】図２は本発明の第１の実施の形態に係るタッチパネルの断面図である。
【図３】図３は本発明の第２の実施の形態に係るタッチパネルの断面図である。
【図４】図４は本発明の第３の実施の形態に係るタッチパネルの断面図である。
【図５】図５は本発明の第４の実施の形態に係るタッチパネルの断面図である。
【図６】図６は本発明の第５の実施の形態に係るタッチパネルの断面図である。
【図７】図７は本発明の第６の実施の形態に係るタッチパネルの断面図である。
【図８】図８は本発明の第７の実施の形態に係るタッチパネルの断面図である。
【図９】図９は本発明の第８の実施の形態に係るタッチパネルの断面図である。
【図１０】図１０は本発明の第９の実施の形態に係るタッチパネルの断面図である。
【図１１】図１１は本発明の第１０の実施の形態に係るタッチパネルの断面図である。
【図１２】図１２は本発明の第１１の実施の形態に係るタッチパネルの断面図である。
【図１３】図１３は本発明の第１２の実施の形態に係るタッチパネルの断面図である。
【図１４】図１４は本発明の第１３の実施の形態に係るタッチパネルの断面図である。
【図１５】図１５は本発明の第１４の実施の形態に係るタッチパネルの断面図である。
【図１６】図１６は本発明の第１５の実施の形態に係るタッチパネルの断面図である。
【図１７】図１７は本発明の第１６の実施の形態に係るタッチパネルの断面図である。
【図１８】図１８は本発明の第１７の実施の形態に係るタッチパネルの断面図である。
【図１９】図１９は本発明の第１８の実施の形態に係るタッチパネルの断面図である。
【図２０】図２０は本発明の第１９の実施の形態に係るタッチパネルの断面図である。
【図２１】図２１は本発明の第２０の実施の形態に係るタッチパネルの断面図である。
【図２２】図２２は本発明の他の実施の形態に係るタッチパネルの上面図である。
【図２３】図２３は本発明の更なる他の実施の形態に係るタッチパネルの上面図及び断面図である。
【図２４】図２４は本発明の更なる他の実施の形態に係るタッチパネルの上面図である。
【発明を実施するための形態】
【０００６】
本発明の第１の実施の形態のタッチパネル１００の上面図は図１に示される。複数の検出電極２０、複数の導電回路３０及びマスキング素子４０は、基板１０上に一体的に形成されている。本実施の形態では、Ｘ方向に構成された検出電極２０及び導電回路３０が用いられる。検出電極２０及び導電回路３０は、Ｙ方向及び／又はＸ方向とＹ方向に構成されてもよい。
【０００７】
本発明は単一の基板を用いてタッチパネルを製造することを目的とする。基板は支持及び保護機能を有し、視認可能領域と当該視認可能領域に隣接する隣接領域とを備える。タッチパネルは、種々の表示装置に用いることができる。薄型タッチパネルを製造する方法は、単一の基板上に組み上げられる、検出電極、導電回路、マスキング要素及び他の要素を有するためのものである。タッチパネルは、表示装置に直接に搭載することができる。その結果、一つの基板の厚さ及びコストを削減することができ、積層工程を除外することができる。
【０００８】
基板１０は、プラスチックやガラス等の有機又は無機の非導電材料で作ることができる。非導電基板１０は、実質的に透明である。アンチスクラッチ、アンチグレア、及び／又はアンチリフレクティブ要素は、基板に貼り付け、印刷、着色、スパッタ、又はコートされることができる。本出願によれば、基板１０として適切な硬さの材料、例えば強化ガラス、弾性伸縮材料等が選択される。基板１０における実質的に透明な視認可能領域１１は、表示装置の表面下に情報を示すために用いられる。実質的に不透明な隣接領域１２は、視認可能領域１１と基板１０の周縁との間に配置されている。隣接領域１２は、表示装置の表面下に示された情報を妨げる要素を覆う。
【０００９】
検出電極２０は、インジウムスズ酸化物（Indium Tin Oxide:ITO）、アルミニウム亜鉛酸化物（Aluminum Zinc Oxide）、亜鉛スズ酸化物（Zinc Tin Oxide）、又は他の実質的に透明な導電材料、例えば導電ガラス、導電ポリマー、カーボンナノチューブ等である。検出電極２０は、視認可能領域１１及び隣接領域１２上に構成又は配置されており、接触入力を入力するための電気的なパターンを有する。導電回路３０は、コントローラ８０に検出された接触信号を伝送するために隣接領域１２の検出電極２０に電気的に接続されている。導電回路３０は、検出電極２０と同様に、アルミニウム、銀、銅、又は導電材料で作ることができる。
【００１０】
メタリックカラー又は他の不透明色を有する導電回路３０は、表示装置の表面下に示される情報を視覚的に妨げる。マスキング要素４０は、導電回路３０及び表示装置のバックライトを実質的に覆うために隣接領域１２上に構成又は配置されている。そのため、視認障害が軽減される。マスキング要素４０は、全てが不透明である必要はない。不透明さの程度は、種々選択される。例えば、黒、又は他の実質的に不透明なフォトレジスタ、樹脂、又はインクを表示装置のバックライトの漏れを防ぎ、導電回路３０の視認障害を軽減するために用いることができる。マスキング要素４０は、基板１０に貼り付け、印刷、着色、スパッタ、又はコートされることができる。本実施の形態及び以下の他の実施の形態の要素は、上述の材料又は本願の種々の要件に対応する他の適切な材料を用いて作ることができる。
【００１１】
図１において、隣接領域１２は、タッチパネル１００の周辺に構成又は配置されている。隣接領域１２は、基板１０の周辺に構成することもでき、又は隣接領域１２の配置及び形状は、製品の形状に基づいて選択することができる。図２２において、タッチパネル２２００の視認可能領域１１は、専用の機能、例えば携帯電話のダイヤル及びハンドアップ機能のためにデザインされた不透明領域１３及び１４を有し、検出電極２０及び導電回路３０の幾何分布を適宜デザインすることができる。導電回路３０は、不透明領域１３及び１４の下に構成又は配置することができる。検出電極２０の配置は適宜変更することができる。そのため、タッチパネル２２００は広い視認可能領域１１を有することができ、表示装置と境界なく用いることができる。
【００１２】
図１の実施の形態は、水平検出電極２０のみを用いている。水平検出電極２０と鉛直検出電極２１とを同時に用いる場合、検出電極２１から検出電極２０を電気的に絶縁するために用いる必要がある絶縁要素、又は電極パターンが固有の形状を用いる必要がある。図２３に示す実施の形態では、水平検出電極２０と鉛直検出電極２１とが用いられている。図２３の右下における絶縁要素９６とコンダクタ９４とは、コンダクタ９２と他の要素との相対的な位置を示すために取り除かれている。検出電極２０は、複数の電極パターン９２と複数のコンダクタ９４とを含む。検出電極２１も、複数の電極パターン９０とコンダクタ９２とを含む。絶縁要素９６は、コンダクタ９２をコンダクタ９４から電気的に絶縁する。検出電極２０及び２１は、相互に絶縁され、誤った導電信号を防ぐことができる。（Ａ）断面で示される本実施の形態において、絶縁要素９６はコンダクタ９２を覆う。コンダクタ９４は、絶縁要素９６上に構成又は配置され、電極パターン９０と電気的に接続されている。（Ｂ）断面で示される別の本実施の形態において、絶縁要素９６はコンダクタ９２及び電極パターン９０の少なくとも一部を覆う。コンダクタ９４は、絶縁要素９６上に構成又は配置され、スルーホール９８を介して電極パターンと電気的に接続されている。（Ｃ）断面で示される異なる本実施の形態において、絶縁要素９６はコンダクタ９２を覆う。コンダクタ９４及び電極パターン９０は、同時に同じ材料で作られる。または、電極パターン９０は最初に構成され、同じ材料で作られたコンダクタ９４と電気的に接続されてもよい。
【００１３】
図２４に示すように、左側の二つの検出電極２０は、複数のコンダクタ９２と異なる形状の複数の電極パターン９０とが一つにまとめられている。右側の二つの検出電極２０夫々は、一つの電極パターン９０のみを備えている。図２４の本実施の形態は、静電容量方式のタッチパネルであり、検出電極２０は、Ｙ方向に配置されている。Ｙ座標を示すことが可能な電極パターン２０の異なる位置にユーザが接触したとき、異なる容量変化を生成する。そのため、電極パターン２０は、Ｘ方向及びＹ方向における接触信号を検出することができる。しかも、電極パターン９０は、電極パターン９０が第１及び第２の方向における接触信号を検出できるように、種々の導電性又はアドレズコードの他の種類の組み合わせを採用することができるが、同じサイズ及び形状で作ることもできる。本発明の他の形態として、ジオコードされた電極パターン（geocoded electrode pattern）を用いることもできる。
【００１４】
図２は、図１のタッチパネル１００におけるＡ―Ａ'線に沿った断面図である。タッチパネルスタックアップ２００は、支持及び保護機能を有し、例えばガラス、プラスチック等の透明な非導電材料で作られた単一の一体化された基板１０を備えている。基板１０は、視認可能領域及び当該視認可能領域に隣接する隣接領域を備えている。ＩＴＯ又は他の適切な材料で作られた検出電極２０は、接触信号を検出するために基板の下に構成又は配置されている。実質的に不透明で非導電性のマスキング要素４０は、検出電極２０の下に構成又は配置されている。スルーホール５０は、導電回路３０と検出電極２０とを接続するためにマスキング要素４０の適切な位置に構成又は配置され、検出された接触信号をそれらに伝送する。マスキング要素４０は、導電回路３０の大部分を覆う。スルーホール５０の大きさ及び導電回路３０の材料は、スルーホール５０から導電回路３０の視認可能領域を減少するために適宜選択される。μｍレベルの大きさ、例えば直径が３０μｍより小さいスルーホール５０は、導電回路３０の視認障害を低減できる。または、検出電極２０は、導電回路３０と接続するためのスルーホール５０を構成又は配置されることができる。
【００１５】
第２の実施の形態のタッチパネル３００は図３に示される。検出電極２０、導電回路３０、マスキング要素４０及びスルーホール５０は、単一の基板１０上に一体的に形成されている。基板１０は、視認可能領域及び当該視認可能領域に隣接する隣接領域を備えており、支持及び保護機能を有する。導電回路３０は、基板１０とマスキング要素４０との間に構成又は配置されている。導電回路３０の材料、大きさ、視認可能領域及び位置は、視認障害を低減できるように適宜選択される。例えば、導電回路３０の視認可能領域はμｍレベルに制限され、又は導電回路３０の位置は、表示装置の枠によって覆われるために選択される。本実施の形態において、検出電極２０は、導電回路３０と接続するためのスルーホール５０が構成又は配置されている。または、導電回路３０は、検出電極２０と接続するためのスルーホール５０を構成又は配置されることができる。
【００１６】
第３の実施の形態のタッチパネル４００は図４に示される。検出電極２０、導電回路３０及びマスキング要素４０は、単一の一体化された基板１０上に一体的に形成されている。基板１０は、視認可能領域及び当該視認可能領域に隣接する隣接領域を備えており、支持及び保護機能を有する。マスキング要素４０は、不透明で異方性導電材料で作られている。領域４１における異方性導電材料の処理、例えばＹ方向へのクランプによって、検出電極２０と導電回路３０との間のマスキング要素４０は、Ｙ方向に導電性である。そのため、Ｘ方向のマスキング要素４０の抵抗は高く、マスキング要素４０は非導電性とみなすことができる。その結果、検出電極２０及び導電回路３０は、Ｘ方向の他の検出電極又は導電回路と接続しない。したがって、誤った導電信号は防ぐことができる。例えば幾つかの異方性導電材料は、処理された領域で１５ｋΩより小さい抵抗を有する。マスキング要素４０のＸ方向における検出電極２０又は導電回路３０と共有される当該マスキング要素４０の抵抗は、１０８Ω／３０μｍのように高くでき、非導電とみなすことができる。スルーホールは、本実施の形態においてマスキング要素４０に必要ない。代わりに異方性導電材料で作られたマスキング要素４０が導電回路３０を覆い、検出電極２０と導電回路３０とを接続するために用いられる。一方、二つの導電回路３０の間の距離は、導電回路３０と検出電極２０との間の距離よりも遠くに構成することができる。したがって、導電回路３０と検出電極２０との間のインピーダンスは、二つの導電回路３０の間のインピーダンスより小さい。誤った導電信号は防ぐことができる。
【００１７】
第４の実施の形態のタッチパネル５００は図５に示される。検出電極２０、導電回路３０及びマスキング要素４０は、単一の基板１０上に一体的に形成されている。基板１０は、視認可能領域及び当該視認可能領域に隣接する隣接領域を備えており、支持及び保護機能を有する。導電回路３０は、基板１０とマスキング要素４０との間に構成又は配置されている。導電回路３０の材料、大きさ、視認可能領域及び位置は、視認障害を低減できるように適宜選択される。例えば、導電回路３０の視認可能領域はμｍレベルに制限され、導電回路３０の位置は、表示装置の枠によって覆われるために選択される。本実施の形態において、異方性導電材料は、検出電極２０と導電回路３０とを接続するためのマスキング要素４０として用いられる。領域４１における異方性導電材料の処理、例えばＹ方向へのクランプによって、検出電極２０と導電回路３０との間のマスキング要素４０は、Ｙ方向に導電性である。そのため、Ｘ方向のマスキング要素４０の抵抗は高く、マスキング要素４０は非導電性とみなすことができる。その結果、検出電極２０及び導電回路３０は、Ｘ方向で他の検出電極又は導電回路と接続しない。したがって、誤った導電信号は防ぐことができる。一方、二つの導電回路３０の間の距離は、導電回路３０と検出電極２０との間の距離よりも遠くに構成することができる。したがって、導電回路３０と検出電極２０との間のインピーダンスは、二つの導電回路３０の間のインピーダンスより小さい。誤った導電信号は防ぐことができる。
【００１８】
第５の実施の形態のタッチパネル６００は図６に示される。検出電極２０、導電回路３０、マスキング要素４０は、単一の基板１０上に一体的に形成されている。基板１０は、視認可能領域及び当該視認可能領域に隣接する隣接領域を備えており、支持及び保護機能を有する。検出電極２０は、導電回路３０とマスキング要素４０との間に構成又は配置されている。マスキング要素４０は、実質的に導電回路３０を覆う。検出電極２０及び導電回路３０は、マスキング要素４０の下で直接接続されている。導電接着剤は、強固な接続のために検出電極２０と導電回路３０との間に任意に貼り付けることができる。
【００１９】
第６の実施の形態のタッチパネル７００は図７に示される。検出電極２０、導電回路３０及びマスキング要素４０は、単一の基板１０上に一体的に形成されている。基板１０は、視認可能領域及び当該視認可能領域に隣接する隣接領域を備えており、支持及び保護機能を有する。導電回路３０は、検出電極２０とマスキング要素４０との間に構成又は配置されている。マスキング要素４０は、実質的に導電回路３０を覆う。検出電極２０と導電回路３０とは、マスキング要素４０の下で直接接続されている。導電接着剤は、強固な接続のために検出電極２０と導電回路３０との間に任意に貼り付けることができる。
【００２０】
第７の実施の形態のタッチパネル８００は図８に示される。検出電極２０、導電回路３０、マスキング要素４０及び誘電要素６０は、単一の基板１０上に一体的に形成されている。基板１０は、視認可能領域及び当該視認可能領域に隣接する隣接領域を備えており、支持及び保護機能を有する。検出電極２０は、導電回路３０と誘電要素６０との間に構成又は配置されている。マスキング要素４０は、実質的に導電回路３０を覆う。検出電極２０と導電回路３０とは、マスキング要素４０の下で直接に、又は導電接着剤によって電気的に接続されている。誘電要素６０は、検出電極２０とマスキング要素４０との間、及び導電回路３０とマスキング要素４０との間に構成又は配置されている。したがって、検出電極２０及び導電回路３０は、マスキング要素４０から絶縁されていることが好ましく、マスキング要素４０を介して他の検出電極又は導電回路と接続されていない。誘電要素６０は、シリコン、シリコン酸化物（SiOx）、シリコン窒化物（SixNy）、非導電ポリマー等で作ることができる。他の形態において、誘電要素６０は、検出電極２０とマスキング要素４０との間、及び／又は導電回路３０とマスキング要素４０との間に構成又は配置することもできる。本形態において誘電要素６０が採用されたとき、マスキング要素４０は低い絶縁要件を有し、多くの材料から選択することができる。
【００２１】
第８の実施の形態のタッチパネル９００は図９に示される。検出電極２０、導電回路３０、マスキング要素４０及び誘電要素６０は、単一の基板１０上に一体的に形成されている。基板１０は、視認可能領域及び当該視認可能領域に隣接する隣接領域を備えており、支持及び保護機能を有する。導電回路３０は、検出電極２０と誘電要素６０との間に構成又は配置されている。マスキング要素４０は、実質的に導電回路３０を覆う。検出電極２０と導電回路３０とは、マスキング要素４０の下で直接に、又は導電接着剤を介して電気的に接続されている。誘電要素６０は、検出電極２０とマスキング要素４０との間、及び導電回路３０とマスキング要素４０との間に構成又は配置されている。したがって、検出電極２０及び導電回路３０は、マスキング要素４０から絶縁されていることが好ましく、マスキング要素４０を介して他の検出電極又は導電回路と接続されていない。
【００２２】
第９及び第１０の実施の形態のタッチパネル１０００及びタッチパネル１１００は夫々図１０及び図１１に示される。これらの実施の形態において、検出電極２０、導電回路３０及びマスキング要素４０は、単一の基板１０に一体的に形成されている。基板１０は、視認可能領域及び当該視認可能領域に隣接する隣接領域を備えており、支持及び保護機能を有する。導電回路３０の材料、大きさ、視認可能領域、及び／又は位置は、視認障害を低減するために適宜選択される。検出電極２０と導電回路３０とは、直接に、又は導電接着剤を介して電気的に接続され、基板１０とマスキング要素４０との間に構成又は配置されている。
【００２３】
第１１及び第１２の実施の形態のタッチパネル１２００及びタッチパネル１３００は夫々、図１２及び図１３に示される。これらの実施の形態において、検出電極２０、導電回路３０、マスキング要素４０及び誘電要素６０は、単一の基板１０上に一体的に形成されている。基板１０は、視認可能領域及び当該視認可能領域に隣接する隣接領域を備えており、支持及び保護機能を有する。二つの実施の形態は、第９及び第１０の実施の形態と同様の構成を有する。適切な大きさの導電回路３０は、基板１０と誘電要素６０との間に構成又は配置されている。導電回路３０の材料、大きさ、視認可能領域、及び／又は位置は、視認障害を低減するために適宜選択される。検出電極２０と導電回路３０とは、直接に、又は導電接着剤を介して電気的に接続され、基板１０と誘電要素６０との間に構成又は配置されている。誘電要素６０は、検出電極２０とマスキング要素４０との間、導電回路３０とマスキング要素４０との間に構成又は配置されている。したがって、検出電極２０と導電回路３０とは、マスキング要素４０から絶縁されていることが好ましく、マスキング要素４０を介して他の検出電極又は導電回路と接続されていない。
【００２４】
第１３の実施の形態のタッチパネル１４００は図１４に示される。検出電極２０、導電回路３０及びマスキング要素４０は、単一の基板１０上に一体的に形成されている。マスキング要素４０は、実質的に導電回路３０を覆う。検出電極２０と導電回路３０とは、直接に、又は導電接着剤を介して電気的に接続されている。導電回路３０の材料、大きさ、視認可能領域、及び／又は位置は、視認障害を低減するために適宜選択される。
【００２５】
第１４の実施の形態のタッチパネル１５００は図１５に示される。検出電極２０、導電回路３０、マスキング要素４０及び誘電要素６０は、単一の基板１０上に一体的に形成されている。基板１０は、視認可能領域及び当該視認可能領域に隣接する隣接領域を備えており、支持及び保護機能を有する。マスキング要素４０は、実質的に導電回路３０を覆う。導電回路３０の材料、大きさ、視認可能領域、及び／又は位置は、視認障害を低減するために適宜選択される。検出電極２０と導電回路３０とは、直接に、又は導電接着剤を介して電気的に接続されている。誘電要素６０は、絶縁するために検出電極２０とマスキング要素４０との間、及び導電回路３０とマスキング要素４０との間に構成又は配置されている。
【００２６】
図２乃至図１５に示すように、上述の実施の形態において、検出電極２０、導電回路３０、マスキング要路４０、及び／又は誘電要素６０は、基板１０の等しい面上に組み上げられている。スタンドアローン型のタッチパネルに加えて、本発明は、単一の基板を有する他のタッチ検出装置、例えば一体的に形成されたタッチ検出ディスプレイに実施することができる。アンチスクラッチ、アンチグレア、及び／又はアンチリフレクティブ材料のような他の種類の材料を適用することもできる。以下の実施の形態において、タッチパネルは単一の基板１０の二つの面に組み上げられる。
【００２７】
第１５の実施の形態のタッチパネル１６００は図１６に示される。検出電極２０、導電回路３０、マスキング要素４０及び保護要素７０は、単一の基板１０上に一体的に形成されている。基板１０は、視認可能領域及び当該視認可能領域に隣接する隣接領域を備えており、支持及び保護機能を有する。検出電極２０と導電回路３０とは、基板１０の一方の面上で直接に、又は導電接着剤を介して電気的に接続されている。検出電極２０は、基板１０と導電回路３０との間に構成又は配置されている。マスキング要素４０は、基板１０の他方の面上に構成又は配置されており、実質的に導電回路３０を覆う。保護要素７０は、上述の実質的に透明な材料で作ることができる。保護要素７０は、実質的にマスキング要素４０を覆う。任意に、保護要素は、アンチスクラッチ、アンチグレア、及び／又はアンチリフレクティブ機能を備えることができる。または、保護要素７０は、省略することができる。保護要素７０は、基板１０と同じ材料で作ることができる。または、基板１０、マスキング要素４０及び保護要素７０は、他の要素を構成する前に一体的に形成することができる。マスキング要素４０は、検出電極２０と導電回路３０とを有する当該一方の面と異なる面上に構成又は配置されている。マスキング要素４０の絶縁要件及び耐熱性要件は低くでき、より多くの材料から選択することができる。
【００２８】
第１６の実施の形態のタッチパネル１７００は図１７に示される。検出電極２０、導電回路３０、マスキング要素４０及び保護要素７０は、単一の基板１０上に一体的に形成されている。基板１０は、視認可能領域及び当該視認可能領域に隣接する隣接領域を備えており、支持及び保護機能を有する。検出電極２０と導電回路３０とは、基板１０の一方の面上で直接に、又は導電接着剤を介して電気的に接続されている。導電回路３０は、基板１０と検出電極２０との間に構成又は配置されている。マスキング要素４０は、基板１０の他方の面上に構成又は配置されており、実質的に導電回路３０を覆う。保護要素７０は、上述の実質的に透明な材料で作ることができる。保護要素７０は、実質的にマスキング要素４０を覆う。任意に、保護要素７０は、アンチスクラッチ、アンチグレア、及び／又はアンチリフレクティブ機能を備えることができる。または、保護要素７０は省略することができる。
【００２９】
第１７の実施の形態のタッチパネル１８００は図１８に示される。検出電極２０、２１、導電回路３０、マスキング要素４０及び保護要素７０は、単一の基板１０上に一体的に形成されている。基板１０は、視認可能領域及び当該視認可能領域に隣接する隣接領域を備えており、支持及び保護機能を有する。検出電極２０及び２１は、基板１０の異なる面上に構成又は配置されている。検出電極２０は第１の方向の接触入力を検出し、検出電極２１は第２の方向の接触入力を検出する。検出電極２０と導電回路３０とは、基板１０の一方の面上で直接に、又は導電接着剤を介して電気的に接続されている。検出電極２０は、基板１０と導電回路３０との間に構成又は配置されている。マスキング要素４０は、基板１０の他方の面と保護要素７０との間に構成又は配置されており、実質的に導電回路３０を覆う。または、検出電極２１は、保護要素７０とマスキング要素４０との間に構成又は配置することができ、又は保護要素７０は検出電極２１とマスキング要素４０との間に構成又は配置することができる。検出電極２１とマスキング要素４０とは、保護要素７０と基板１０との間で重なることなく構成することもでき、又は保護要素は基板１０と検出電極２１との間で重なることなく構成することもできる。保護要素７０は、実質的にマスキング要素４０を覆う、又は基板１０全体の表面を覆う。任意に、保護要素は、検出電極２１の屈折率に近い屈折率を有することができ、及び／又はアンチスクラッチ、アンチグレア、及び／又はアンチリフレクティブ機能を備えることができる。または、保護要素７０は省略することができる。
【００３０】
第１８の実施の形態のタッチパネル１９００は図１９に示される。検出電極２０、２１、導電回路３０、マスキング要素４０及び保護要素７０は、単一の基板１０上に一体的に形成されている。基板１０は、視認可能領域及び当該視認可能領域に隣接する隣接領域を備えており、支持及び保護機能を有する。検出電極２０及び２１は、基板１０の異なる面上に構成又は配置されている。検出電極２０と導電回路３０とは、基板１０の一方の面上で直接に、又は導電接着剤を介して電気的に接続されている。導電回路３０は、基板１０と検出電極２０との間に構成されている。マスキング要素４０は、基板１０の他方の面上に構成又は配置されており、基板１０と保護要素７０との間に構成又は配置されている。マキング要素４０は、実質的に導電回路３０を覆う。または、検出電極２１は保護要素７０とマスキング要素４０との間に構成又は配置することができ、又は保護要素７０は検出電極２１とマスキング要素４０との間に構成又は配置することができる。検出電極２１とマスキング要素４０とは、保護要素７０と基板１０との間で重なることなく構成又は配置することもでき、保護要素７０上に重なることなく構成することもできる。保護要素７０は、実質的にマスキング要素４０及び検出電極２１を覆う。任意に、保護要素７０は、検出電極２１の屈折率に近い屈折率を有することができ、及び／又はアンチスクラッチ、アンチグレア、及び／又はアンチリフレクティブ機能を備えることができる。または、保護要素７０は省略することができる。
【００３１】
第１９の実施の形態のタッチパネル２０００は図２０に示される。検出電極２０、２１、導電回路３０、マスキング要素４０、誘電要素６０及び保護要素７０は、単一の基板１０上に一体的に形成されている。基板１０は、視認可能領域及び当該視認可能領域に隣接する隣接領域を備えており、支持及び保護機能を有する。検出電極２０及び２１は、基板１０の異なる面上に構成又は配置されている。検出電極２０と導電回路３０とは、基板１０の一方の面上で直接に、又は導電接着剤を介して電気的に接続されている。検出電極２０は、基板１０と導電回路３０との間に構成又は配置されている。マスキング要素４０は、保護要素７０と誘電要素６０との間に構成又は配置されており、実質的に導電回路３０を覆う。または、保護要素７０は、誘電要素６０とマスキング要素４０との間に構成又は配置されてもよい。一方、検出電極２１、誘電要素６０及びマスキング要素２１は、保護要素７０と基板１０との間で重ならないように構成することができ、又は保護要素７０上に重ならないように構成することもできる。保護要素７０は、アンチスクラッチ、アンチグレア、及び／又はアンチリフレクティブ機能を備えるために、実質的にマスキング要素４０及び検出電極２１を覆う。または、保護要素７０は、省略することができる。加えて、誘電要素６０は、絶縁性を備えるために、検出電極２１とマスキング要素４０との間に構成されている。したがって、検出電極２１は、マスキング要素４０を介して他の検出電極と接続しない。任意に、誘電要素６０は、検出電極２１の視認障害を低減するために、検出電極２１の屈折率に近い屈折率を有することができる。
【００３２】
第２０の実施の形態のタッチパネル２１００は図２１に示される。検出電極２０、２１、導電回路３０、マスキング要素４０、誘電要素６０及び保護要素７０は、単一の基板１０上に一体的に形成されている。基板１０は、視認可能領域及び当該視認可能領域に隣接する隣接領域を備えており、支持及び保護機能を有する。検出電極２０及び２１は、基板１０の異なる表面上に構成又は配置されている。検出電極２０と導電回路３０とは、基板１０の一方の面上で直接に、又は導電接着剤を介して電気的に接続されている。導電回路３０は、基板１０と検出電極２０との間に構成されている。マスキング要素４０は、保護要素７０と誘電要素６０との間に構成されており、実質的に導電回路３０を覆う。または、保護要素７０は、誘電要素６０とマスキング要素４０との間に構成されてもよい。検出電極２１、誘電要素６０及びマスキング要素４０は、保護要素７０と基板１０との間で重ならないように構成することができ、又は保護要素７０上に重ならないように構成することもできる。保護要素７０は、アンチスクラッチ、アンチグレア、及び／又はアンチリフレクティブ機能を備えるために、実質的にマスキング要素４０及び検出電極２１を覆う。または、保護要素７０は、省略することができる。加えて、誘電要素６０は、絶縁性を備えるために、検出電極２１とマスキング要素４０との間に構成又は配置されている。したがって、検出電極２１は、マスキング要素４０を介して他の検出電極と接続しない。
【００３３】
本発明は実施の形態を参照して述べられた。本発明が理解され、しかしながら、代替の改変や変化は上述の記載を踏まえれば当業者であれば明らかである。その結果、本発明は添付した特許請求の範囲の精神及び範囲内において代替の改変や変化の何れもが含まれる。
【図１】
2013546076.tif 000003
【図２】
2013546076.tif 000004
【図３】
2013546076.tif 000005
【図４】
2013546076.tif 000006
【図５】
2013546076.tif 000007
【図６】
2013546076.tif 000008
【図７】
2013546076.tif 000009
【図８】
2013546076.tif 000010
【図９】
2013546076.tif 000011
【図１０】
2013546076.tif 000012
【図１１】
2013546076.tif 000013
【図１２】
2013546076.tif 000014
【図１３】
2013546076.tif 000015
【図１４】
2013546076.tif 000016
【図１５】
2013546076.tif 000017
【図１６】
2013546076.tif 000018
【図１７】
2013546076.tif 000019
【図１８】
2013546076.tif 000020
【図１９】
2013546076.tif 000021
【図２０】
2013546076.tif 000022
【図２１】
2013546076.tif 000023
【図２２】
2013546076.tif 000024
【図２３】
2013546076.tif 000025
【図２４】
2013546076.tif 000026
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
実質的に透明な領域と前記実質的に透明な領域に隣接する隣接領域とを有する単一で一体的な基板と、
前記基板の前記隣接領域上に構成されたマスキング要素と、
接触信号を検出する電極と、
信号処理器に前記接触信号を伝送する導電回路と、を備え、
前記電極と前記マスキング要素とは、一体的に形成され、
前記一体的に形成された電極とマスキング要素とは、前記基板の一方の面上に形成されているタッチパネルスタックアップ。
【請求項２】
前記電極は、前記導電回路に電気的に接続されている請求項１のタッチパネルスタックアップ。
【請求項３】
前記導電回路は、前記マスキング要素上に構成されている請求項１又は２のタッチパネルスタックアップ。
【請求項４】
前記マスキング要素の一部は、前記電極上に構成されている請求項１乃至３のいずれか１項のタッチパネルスタックアップ。
【請求項５】
前記導電回路は、前記電極と共に前記基板の一方の面上に構成されている請求項１乃至４のいずれか１項のタッチパネルスタックアップ。
【請求項６】
前記導電回路は、前記マスキング要素上に構成され、
前記マスキング要素の一部は、前記電極上に構成されている請求項１乃至５のいずれか１項のタッチパネルスタックアップ。
【請求項７】
誘電要素をさらに備え、
前記誘電要素が前記マスキング要素と前記導電回路との間に構成されている、又は前記誘電要素が前記マスキング要素と前記導電回路の間、及び前記マスキング要素と前記電極との間に構成されている、又は前記誘電要素及び前記マスキング要素が前記電極と共に前記基板の一方の面上に構成されている、又は前記導電回路は前記誘電要素上に構成されている、又は前記電極の一部が前記誘電要素上に構成されている、又は前記導電回路の一部が前記電極上に構成されている請求項１乃至６のいずれか１項のタッチパネルスタックアップ。
【請求項８】
前記電極は、
第１の検出電極パターンと、
第２の検出電極パターンと、
第１の電気配線と、
第２の電気配線と、
絶縁体と、を備える請求項１のタッチパネルスタックアップ。
【請求項９】
前記絶縁体は、前記第１の電気配線を前記第２の電気配線から電気的に絶縁する請求項８のタッチパネルスタックアップ。
【請求項１０】
前記絶縁体は前記第１の電気配線上に構成され、
前記第２の電気配線は、前記絶縁体上に構成され、前記第２の電気配線は、前記第１の検出電極パターン及び前記第２の検出電極パターンに電気的に接続されている請求項８又は９のタッチパネルスタックアップ。
【請求項１１】
前記絶縁体はスルーホールをさらに備え、
前記第２の電気配線は、前記スルーホールを介して前記第１の検出電極パターン及び前記第２の検出電極パターンに電気的に接続されている請求項８乃至１０のいずれか１項のタッチパネルスタックアップ。
【請求項１２】
前記第１の導電回路は、基板上に構成され、
前記絶縁体は、前記第１の電気配線上に構成され、
前記第２の電気配線は前記絶縁体上に構成されている請求項８乃至１１のいずれか１項のタッチパネルスタックアップ。
【請求項１３】
前記電極は、検出電極パターンと第１の電気配線とをさらに備え、
前記検出電極パターンと前記第１の電気配線とは、同じ材料で作られている請求項１のタッチパネルスタックアップ。
【請求項１４】
視認可能領域及び前記視認可能領域に隣接する隣接領域を備える、単一の一体化された基板と、
前記隣接領域上に構成されたマスキング要素と、
接触信号を検出するための電極と、
前記接触信号を信号処理器に伝送するための導電回路と、を備え、
前記電極及び前記導電回路は、前記基板の一方の面上に構成されているタッチパネルスタックアップ。
【請求項１５】
誘電要素をさらに備え、
前記誘電要素が前記マスキング要素と前記導電回路との間に構成されている、又は前記誘電要素が前記マスキング要素と前記電極との間に構成されている、又は前記電極が前記導電回路と電気的に接続されている、又は前記誘電要素の一部が前記電極上に構成されている請求項１４のタッチパネルスタックアップ。
【請求項１６】
前記導電回路は、前記基板と前記マスキング要素との間に構成されている請求項１４又は１５のタッチパネルスタックアップ。
【請求項１７】
前記マスキング要素はスルーホールを備え、
前記導電回路は、前記スルーホールを介して前記電極と電気的に接続されている請求項１又は１４のタッチパネルスタックアップ。
【請求項１８】
前記マスキング要素は異方性導電材料で作られている請求項１又は１４のタッチパネルスタックアップ。
【請求項１９】
前記電極の一部は、前記導電回路上に構成され、
前記マスキング要素は、前記導電回路上に構成されている請求項１４のタッチパネルスタックアップ。
【請求項２０】
前記電極は、
第１の検出電極パターンと、
第２の検出電極パターンと、
第１の電気配線と、
第２の電気配線と、
絶縁体と、を備える請求項１４のタッチパネルスタックアップ。
【請求項２１】
視認可能領域と前記視認可能領域に隣接する隣接領域とを含む単一の一体的な基板と、
前記隣接領域上に構成されたマスキング要素と、
接触信号を検出するための電極と、
前記接触信号を信号処理器に伝送するための導電回路と、を備え、
前記電極及び前記導電回路は、前記基板の一方の面上に構成され、
前記マスキング要素は、前記基板の他方の面上に構成されているタッチパネルスタックアップ。
【請求項２２】
前記マスキング要素上に構成された保護要素をさらに備える請求項２１のタッチパネルスタックアップ。
【請求項２３】
保護要素をさらに備え、
前記保護要素は、前記マスキング要素と共に前記基板の一方の面上に構成されている請求項２１のタッチパネルスタックアップ。
【請求項２４】
視認可能領域と前記視認可能領域に隣接する隣接領域とを含む単一の一体的な基板と、
前記隣接領域上に構成されたマスキング要素と、
第１の方向の接触信号を検出するための第１の電極と、
第２の方向の接触信号を検出するための第２の電極と、
前記第１の電極と電気的に接続された導電回路と、を備え、
前記第１の電極及び前記導電回路は、前記基板の一方の面上に構成され、
前記第２の電極は前記基板の他方の面上に構成されているタッチパネルスタックアップ。
【請求項２５】
前記マスキング要素は、前記第２の電極と共に前記基板の一方の面上に構成されている請求項２４のタッチパネルスタックアップ。
【請求項２６】
前記第２の電極上に構成された保護要素をさらに備える請求項２４又は２５のタッチパネルスタックアップ。
【請求項２７】
視認可能領域と前記視認可能領域に隣接する隣接領域とを含む単一の一体的な基板と、
接触信号を検出するための第１の検出電極と、
前記第１の検出電極と電気的に接続される導電回路と、
前記隣接領域上に構成されるマスキング要素と、を備え、
前記第１の検出電極、前記導電回路及び前記マスキング要素は、前記基板上に構成されているタッチパネルスタックアップ。
【請求項２８】
第２の検出電極をさらに備え、
前記基板は、前記第１の検出電極と前記第２の検出電極との間に構成されている請求項２７のタッチパネルスタックアップ。
【請求項２９】
実質的に前記第２の検出電極を覆う第２の保護要素をさらに備える請求項２８のタッチパネルスタックアップ。
【請求項３０】
前記第１の検出電極は、第１の方向の接触信号及び第２の方向の接触信号を検出するための一以上のジオコードされた電極パターンを備える請求項２７乃至２９のいずれか１項のタッチパネルスタックアップ。
【請求項３１】
前記ジオコードされた電極パターンは、円形、楕円、三角形、矩形、台形及び多角形より構成されるグループから選択されている、又は大きさが異なる、又は異なる導電性を有する請求項３０のタッチパネルスタックアップ。
【請求項３２】
前記第２の保護要素と前記第２の検出電極とは、実質的に等しい屈折率を有する請求項２９のタッチパネルスタックアップ。
【請求項３３】
前記第２の検出電極と前記マスキング要素との間に構成された誘電要素をさらに備える請求項２８のタッチパネルスタックアップ。
【請求項３４】
前記誘電要素と前記第２の検出電極とは、実質的に等しい屈折率を有する請求項３３のタッチパネルスタックアップ。
【手続補正２】
【補正対象書類名】明細書
【補正対象項目名】０００３
【補正方法】変更
【補正の内容】
【０００３】
従来のタッチパネルは、検出電極、導電回路、マスキング要素、支持基板、及びアンチスクラッチ、アンチグレア、及び／又はアンチリフレクティブ機能をもたらす保護レンズの一以上の層を含む。従来のタッチパネルの二次加工において、構成要素は支持基板と保護レンズ基板とに別々に形成される。その後、支持基板と保護レンズ基板とは、タッチパネルを形成するために積層される。例えば、検出電極は支持基板に形成され、マスキング素子及び導電回路は保護レンズ基板に形成される。支持基板と保護レンズ基板とを積層した後、導電回路は接触入力を伝送するために検出電極に電気的に接続される。マスキング素子は、ユーザがディスプレイの情報を見るとき導電回路の視認障害を取り除くために当該導電回路を覆うことができる。従来の近接させる二つの基板はタッチパネルの厚さを増加させる。特に、正確な位置決めは、検出電極と導電回路とを適切に接続するための積層工程を必要とする。そのため、製造の複雑さを増加させる。
【先行技術文献】
【特許文献】
【特許文献１】米国特許第７３３９５７９号
【特許文献２】米国特許出願公開第２００４／１４１１１０号
【特許文献３】米国特許出願公開第２００９／１０２８１４号
【特許文献４】米国特許出願公開第２００８／１６５１５８号
【特許文献５】米国特許第６８１４４５２号
【手続補正３】
【補正対象書類名】明細書
【補正対象項目名】００３２
【補正方法】変更
【補正の内容】
【００３２】
第１９の実施の形態のタッチパネル２０００は図２０に示される。検出電極２０、２１、導電回路３０、マスキング要素４０、誘電要素６０及び保護要素７０は、単一の基板１０上に一体的に形成されている。基板１０は、視認可能領域及び当該視認可能領域に隣接する隣接領域を備えており、支持及び保護機能を有する。検出電極２０及び２１は、基板１０の異なる面上に構成又は配置されている。検出電極２０と導電回路３０とは、基板１０の一方の面上で直接に、又は導電接着剤を介して電気的に接続されている。検出電極２０は、基板１０と導電回路３０との間に構成又は配置されている。マスキング要素４０は、保護要素７０と誘電要素６０との間に構成又は配置されており、実質的に導電回路３０を覆う。または、保護要素７０は、誘電要素６０とマスキング要素４０との間に構成又は構成されてもよい。一方、検出電極２１、誘電要素６０及びマスキング要素４０は、保護要素７０と基板１０との間で重ならないように構成することができ、又は保護要素７０上に重ならないように構成することもできる。保護要素７０は、アンチスクラッチ、アンチグレア、及び／又はアンチリフレクティブ機能を備えるために、実質的にマスキング要素４０及び検出電極２１を覆う。または、保護要素７０は、省略することができる。加えて、誘電要素６０は、絶縁性を備えるために、検出電極２１とマスキング要素４０との間に構成されている。したがって、検出電極２１は、マスキング要素４０を介して他の検出電極と接続しない。任意に、誘電要素６０は、検出電極２１の視認障害を低減するために、検出電極２１の屈折率に近い屈折率を有することができる。
【国際調査報告】
2013546076.tif 000027
2013546076.tif 000028
2013546076.tif 000029